(57)【特許請求の範囲】
【請求項１】
空気を送風する送風ユニットを有する空気調和機と、塵埃を集塵する塵埃ユニットを有する空気清浄機と、人が在室していることを検知する人検知手段と、これらを制御する制御手段とを少なくとも備え、前記制御手段は前記空気調和機または前記空気清浄機の運転停止時に、前記人検知手段が人を検知していない場合、前記送風ユニットに送風をさせるとともに、前記塵埃ユニットに塵埃を集塵する運転を行わせることを特徴とする空気調和システム。
【請求項２】
前記制御手段は前記送風ユニットからの送風中に、前記人検知手段が人を検知した場合、前記送風ユニットからの送風を中止させることを特徴とする請求項１に記載の空気調和システム。
【発明の詳細な説明】
【技術分野】
【０００１】
本発明は、空気調和機と空気清浄機を連動させて室内の塵埃を集塵する空気調和システムに関する。
【背景技術】
【０００２】
従来から、室内の空気に含まれる塵埃を集塵することができる空気清浄機が知られており、空気清浄機からの送風により室内を循環する気流を発生させ、塵埃を含む空気を空気清浄機内に吸引してフィルターで回収することにより、室内の塵埃を集塵できるようになっている。
【０００３】
このような、空気清浄機で集塵能力を高めるためには、室内の隅々にまで広範囲に届く気流を発生させることが望ましい。このため送風ファンを駆動するモータの回転を、フィルターの空気抵抗や本体内の空気の通過速度に応じて制御する空気清浄機が知られている。（例えば、特許文献１参照）。
【先行技術文献】
【特許文献】
【０００４】
【特許文献１】特開２０００−２５７９３１号公報（第３頁、図１）
【発明の概要】
【発明が解決しようとする課題】
【０００５】
特許文献１の空気清浄機は本体内に集塵フィルターを通過した気流の風速を検出する風速検出センサが設けられ、風速検出センサが検出した風速を一定に保つようにモータの回転数を制御するため、集塵フィルターの状態に係らず空気清浄機から一定の風速の気流を発生させることができる。
【０００６】
しかし、一定の風速の気流を発生させることにより安定した集塵能力を維持できたとしても、室内の広さや家具の位置、空気清浄機の設置位置などによっては、空気清浄機が発生させた気流を室内に循環させて空気中の塵埃を集塵することが難しい場合があるという問題があった。
【０００７】
本発明は以上述べた問題点を解決し、空気清浄機に室内の塵埃をより集塵させることができる空気調和システムを提供することを目的とする。
【課題を解決するための手段】
【０００８】
本発明は上述の課題を解決するため、本発明の請求項１に記載の空気調和システムは、空気を送風する送風ユニットを有する空気調和機と、塵埃を集塵する塵埃ユニットを有する空気清浄機と、人が在室していることを検知する人検知手段と、これらを制御する制御手段とを少なくとも備え、前記制御手段は前記空気調和機または前記空気清浄機の運転停止時に、前記人検知手段が人を検知していない場合、前記送風ユニットに送風をさせるとともに、前記塵埃ユニットに塵埃を集塵する運転を行わせることを特徴とする。
【０００９】
また、本発明の請求項２に記載の空気調和システムは、前記制御手段は前記送風ユニットからの送風中に、前記人検知手段が人を検知した場合、前記送風ユニットからの送風を中止させることを特徴とする。
【発明の効果】
【００１０】
本発明の空気調和システムによれば、空気調和機の送風ユニットから吹出される気流で、室内に堆積した塵埃を舞い上げさせ、舞い上がった塵埃を空気清浄機の集塵ユニットで集塵させることができる。また、利用者が在室していない時に送風ユニットから送風させるため、舞い上げられた塵埃によって利用者の快適性が損なわれることがない。
【図面の簡単な説明】
【００１１】
【図１】本発明による空気調和システムの概略構成を示す説明図である。
【図２】本発明による空気調和システムの構成の一例を示すブロック図である。
【図３】本発明による空気調和システムの連動制御開始前の処理を説明するフローチャートである。
【図４】本発明による空気調和システムの連動制御の処理を説明するフローチャートである。
【発明を実施するための形態】
【００１２】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１３】
図１は本発明による空気調和システムの概略構成を示す説明図であり、図２は本発明による空気調和システムの構成の一例を示すブロック図である。図１において空気調和システム１は、空気を送風することができる空気調和機２と塵埃を集塵することができる空気清浄機３とが、空気調和機２から空気清浄機３に、または空気清浄機３から空気調和機２に制御信号を送信できるようになっており、一方の装置から制御信号を送信してこれを受信した他方の装置が制御信号に応じて動作することにより、部屋の塵埃をより集塵させることができる空気調和機２と空気清浄機３の連動制御が行えるようになっている。
【００１４】
図２において空気調和システム１は、人を検知した時に信号を出力する人検知センサである人検知部（人検知手段）１１と、利用者からの空気調和機２と空気清浄機３の運転や設定の操作を受付けるそれぞれのリモコンおよび、空気調和機２や空気清浄機３の各本体装置に備えられた操作ボタンである操作部１２と、時間を計時する計時部１３と、空気調和機２と空気清浄機３を連動制御させるか否かの設定状態などを記憶する記憶部１４と、空気調和機２と空気清浄機３を連動制御させる際、気流を吹き出して室内の塵埃を舞い上げさせる空気調和機２の送風ユニット２１と、気流により室内を循環する空気中の塵埃を集塵する空気清浄機３の集塵ユニット３１と、これらを制御する制御部（制御手段）１５とを備えている。
【００１５】
なお、人検知部１１、操作部１２、計時部１３、記憶部１４、及び制御部１５は、空気調和機２もしくは空気清浄機３のいずれか一方に搭載されていれば良い。
【００１６】
図３は、本発明による空気調和システム１の連動制御開始前の処理を説明するフローチャートであり、図４は、図３に続いて行われる本発明による空気調和システム１の連動制御の処理を説明するフローチャートである。
【００１７】
図３の処理が開始される条件として、空気調和機２と空気清浄機３のどちらか一方または両方が運転を行っているものとする。また、空気調和機２と空気清浄機３の運転状態に係らず操作部１２が空気調和システム１の連動制御を直接受付けた場合には、図３の処理を行うことなく図４で示す処理が行われる。なお、図３と図４のフローチャートに記載のＳＴはステップを表し、これに続く数字はステップ番号をそれぞれ表している。
【００１８】
図３において制御部１５は、操作部１２から空気調和システム１の連動制御を“有効”とするかまたは“無効”とするかの設定操作を受付けたか否かを確認する（ＳＴ１）。連動制御を設定する操作が行われていない場合（ＳＴ１−Ｎｏ）、操作部１２から空気調和機２もしくは空気清浄機３の運転を停止する信号を受付けたか否かを確認する（ＳＴ２）。なお、運転を停止する受付については例えば切タイマーなど（図示を省略）による予定されていた運転の停止も含まれる。
【００１９】
制御部１５はＳＴ２において、空気調和機２もしくは空気清浄機３の運転の停止を受付けた場合（ＳＴ２−Ｙｅｓ）、後述する記憶部１４に記憶されている空気調和システム１の連動制御の設定状態が“有効”であるか否かを確認する（ＳＴ３）。連動制御の設定状態が“有効”の場合（ＳＴ３−Ｙｅｓ）、運転の停止を受付けた対象装置が空気調和機２と空気清浄機３のどちらであるかを記憶部１４に記憶する（ＳＴ４）。続いて計時部１３に時間の計時を開始させる（ＳＴ５）。そして計時部１３に計時させている時間が、人が在室していないことを判定するための閾値として予め設定された所定の不在継続時間（例えば１０分間など）に達したか否かを確認する（ＳＴ６）。
【００２０】
制御部１５はＳＴ６において、計時部１３に計時させている時間が所定の不在継続時間に達していない場合（ＳＴ６−Ｎｏ）、人検知部１１から人を検知した信号を受付けたか否かを確認する（ＳＴ７）。人を検知した信号を受付けた場合（ＳＴ７−Ｙｅｓ）、計時部１３に計時させている時間の計時を停止させ、計時時間をリセットする（ＳＴ８）。そしてＳＴ５へ戻る。
【００２１】
一方、制御部１５はＳＴ１において、操作部１２から空気調和システム１の連動制御を設定する操作を受付けた場合（ＳＴ１−Ｙｅｓ）、受付けた操作に応じて連動制御の設定状態として“有効”もしくは“無効”を記憶部１４に記憶する（ＳＴ９）。そしてＳＴ２へジャンプする。なお、連動制御の設定状態は空気調和システム１の初期値として予め“有効”もしくは“無効”のいずれか一方が記憶部１４に記憶されている。
【００２２】
また、制御部１５はＳＴ３において、記憶部１４に記憶されている空気調和システム１の連動制御の設定状態が“有効”ではない（“無効”である）場合（ＳＴ３−Ｎｏ）、記憶部１４に記憶されている停止を受付けた対象装置（空気調和機２もしくは空気清浄機３）の運転を停止させる。そして空気調和システム１の連動制御を行わずに連動制御開始前の処理を終了する。
【００２３】
また、制御部１５はＳＴ７において、人検知部１１から人を検知した信号を受付けていない場合（ＳＴ７−Ｎｏ）、ＳＴ６へ戻る。制御部１５はＳＴ６において、計時部１３に計時させている時間（ＳＴ５からＳＴ８までの処理および判定により、人が不在となってから不在の状態が継続した経過時間）が所定の不在継続時間に達した場合（ＳＴ６−Ｙｅｓ）、図４で示す本発明による空気調和システム１の連動制御の処理へジャンプする。
【００２４】
図４において制御部１５は、送風ユニット２１から室内に堆積した塵埃を舞い上げる強い気流の送風を開始させる（ＳＴ２１）。また前述のＳＴ２１の処理と並行して、集塵ユニット３１に空気中の塵埃を集塵する集塵運転を開始させる（ＳＴ２２）。続いて計時部１３に連動制御時間の計時を開始させる（ＳＴ３）。そして人検知部１１から人を検知した信号を受付けたか否かを確認する（ＳＴ２４）。
【００２５】
制御部１５はＳＴ２４において、人検知部１１から人を検知した信号を受付けていない場合（ＳＴ２４−Ｎｏ）、計時部１３に計時させている連動制御の経過時間が、室内の塵埃を舞い上げさせてその塵埃を集塵させるために要する予め設定された所定時間（例えば３０分間など）に達したか否かを確認する（ＳＴ２５）。連動制御の経過時間が所定時間に達した場合（ＳＴ２５−Ｙｅｓ）、記憶部１４に記憶されている運転の停止を受付けた対象装置が空気調和機２であるか否かを確認する（ＳＴ２６）。
【００２６】
制御部１５はＳＴ２６において、記憶部１４に記憶されている運転の停止を受付けた対象装置が空気調和機２ではない場合（ＳＴ２６−Ｎｏ）、記憶部１４に記憶されている運転の停止を受付けた対象装置が空気清浄機３であるか否かを確認する（ＳＴ２７）。記憶部１４に記憶されている運転の停止を受付けた対象装置が空気清浄機３である場合（ＳＴ２７−Ｙｅｓ）、空気清浄機３の運転を停止させる（ＳＴ２８）。続いて計時部１３に計時させている連動制御の経過時間の計時を停止し、計時時間をリセットする（ＳＴ２９）。そして空気調和システム１の連動制御の処理を終了する。
【００２７】
一方、制御部１５はＳＴ２４において、人検知部１１から人を検知した信号を受付けた場合（ＳＴ２４−Ｙｅｓ）、送風ユニット２１からＳＴ２１で開始させていた室内に堆積した塵埃を舞い上げる強い気流の送風を中止させる（ＳＴ３０）。そしてＳＴ２６へジャンプする。制御部１５はＳＴ２５において、計時部１３に計時させている連動制御の経過時間が所定時間に達していない場合（ＳＴ２５−Ｎｏ）、ＳＴ２４へ戻る。
【００２８】
また、制御部１５はＳＴ２６において、記憶部１４に記憶されている停止を受付けた対象機器が空気調和機２である場合（ＳＴ２６−Ｙｅｓ）、空気調和機２の運転を停止させる（ＳＴ３１）。そしてＳＴ２９へジャンプする。また、制御部１５はＳＴ２７において、記憶部１４に記憶されている停止を受付けた対象機器が空気清浄機３ではない（操作部１２が空気調和システム１の連動制御を直接受付けた）場合（ＳＴ２７−Ｎｏ）、ＳＴ２９へジャンプする。
【００２９】
図３と図４で説明した空気調和システム１の連動制御の処理を行うことにより、空気調和機２の送風ユニット２１から吹出される気流で室内に堆積した塵埃を舞い上げさせて、舞い上がった塵埃を空気清浄機３の集塵ユニット３１で集塵させることができる。また、利用者が在室していない時に送風ユニットから送風させるため、舞い上げられた塵埃によって利用者の快適性が損なわれることがない。
【符号の説明】
【００３０】
１  空気調和システム
２  空気調和機
３  空気清浄機
１１  人検知部（人検知手段）
１２  操作部
１３  計時部
１４  記憶部
１５  制御部（制御手段）
２１  送風ユニット
３１  集塵ユニット
【図１】
0006507733.tif 000002
【図２】
0006507733.tif 000003
【図３】
0006507733.tif 000004
【図４】
0006507733.tif 000005